(57)【要約】【課題】  縦型米選機の仕上米玄米取出ホッパ（１３）、屑米取出口（１７）を縦軸心回りに回動調節可能に構成し、狭い場所に配置する場合の作用の利便性を向上させる。【解決手段】  選別孔の多数形成されている縦長円筒状の選別網筒（３）を内装する縦長円筒状の選別ケース（２）と、該選別網筒（３）に内装されている小径の揚穀ラセン筒４を備えた縦型米選機において、選別ケース（２）内に大径の選別網筒（３）及び小径の揚穀ラセン筒（４）を同一の縦軸心回りに互いに反対方向へ回転するように構成し、縦長円筒状の選別ケース（２）における仕上米玄米取出ホッパ（１３）の設けられている上部選別ケース（２ｃ）や屑米取出口（１７）の配設されている中間選別ケース（２ｂ）を他の選別ケース（２）部に対して縦軸心回りに回動調節可能に構成する。【選択図】図１
2014033990.tif 000002
【特許請求の範囲】
【請求項１】
選別孔の多数形成されている縦長円筒状の選別網筒（３）を内装する縦長円筒状の選別ケース（２）と、該選別網筒（３）に内装されている揚穀ラセン筒（４）とを備えた縦型米選機において、前記選別ケース（２）内に前記選別網筒（３）及び揚穀ラセン筒（４）を同一の縦軸心回りに回転するように配設し、縦長円筒状の前記選別ケース（２）における仕上げ玄米取出ホッパ（１３）の設けられている上部選別ケース（２ｃ）を縦軸心回りに回動調節可能に構成したことを特徴とする縦型米選機。
【請求項２】
請求項１の発明において、屑米取出口（１７）の配設されている中間選別ケース（２ｂ）を縦軸心回りに回動調節可能に構成したことを特徴とする縦型米選機。
【請求項３】
請求項１又は請求項２の発明において、前記屑米取出口（１７）の配設されている中間選別ケース（２ｂ）及び仕上げ玄米取出ホッパ（１３）の設けられている上部選別ケース（２ｃ）の隣接する円筒部を嵌合装着し縦軸心回りに回動可能に構成したことを特徴とする縦型米選機。
【請求項４】
請求項１乃至請求項３の発明において、縦軸心回りに回動調節できる屑米取出口（１７）の配設されている中間選別ケース（２ｂ）あるいは仕上げ玄米取出ホッパ（１３）の配設されている上部選別ケース（２ｃ）のいずれかあるいは双方にコンプレッサなどから噴風を吹き込むことのできる噴風供給口（２２）を設けたことを特徴とする縦型米選機。
【発明の詳細な説明】
【技術分野】
【０００１】
本発明は、縦型米選機に関する。
【背景技術】
【０００２】
籾摺選別機の仕上米昇降機に隣接するように縦型米選機を配設し、縦型米選機に回転可能に立設された選別網筒内に螺旋スクリューを内装し、籾摺玄米を粒径応じて仕上げ選別するものは、公知である（特許文献１）。
【先行技術文献】
【特許文献】
【０００３】
【特許文献１】特開２０１１−１２０９９７号公報
【発明の概要】
【発明が解決しようとする課題】
【０００４】
特許文献１の縦型米選機は、機体下側部に籾摺玄米を供給する投入ホッパを設け、機体中間部に選別屑米を取り出す屑米取出部を設け、機体上側部に仕上げ玄米を取り出す仕上げ玄米取出部を設けた構成であり、これらの投入ホッパ、屑米取出部及び仕上げ玄米取出部を機体に対して固定状態に配設している。従って、籾摺選別機に対して縦型米選機を隣接配置位置が限定され、狭い場所で作業をする場合にはこれらの穀粒取出位置が限定され、オペレータが作業をしにくい場合が生じるという問題点があった。
【０００５】
そこで、本発明は狭い場所で籾摺作業及び玄米の粒径選別をする場合にも、籾摺選別機に隣接配置した縦型米選機の仕上げ玄米取出位置及び屑米取出位置を縦軸心回りに回動調節し、縦型米選機の配設の自在性を高め作業の利便性を向上しようとするものである。
【課題を解決するための手段】
【０００６】
本発明は前記課題を解決するために次のような技術的手段を講じた。
請求項１の発明は、選別孔の多数形成されている縦長円筒状の選別網筒（３）を内装する縦長円筒状の選別ケース（２）と、該選別網筒（３）に内装されている揚穀ラセン筒（４）とを備えた縦型米選機において、前記選別ケース（２）内に前記選別網筒（３）及び揚穀ラセン筒（４）を同一の縦軸心回りに回転するように配設し、縦長円筒状の前記選別ケース（２）における仕上げ玄米取出ホッパ（１３）の設けられている上部選別ケース（２ｃ）を縦軸心回りに回動調節可能に構成したことを特徴とする。
【０００７】
請求項２の発明は、請求項１の発明において、屑米取出口（１７）の配設されている中間選別ケース（２ｂ）を縦軸心回りに回動調節可能に構成したことを特徴とする。
請求項３の発明は、請求項１又は請求項２の発明において、前記屑米取出口（１７）の配設されている中間選別ケース（２ｂ）及び仕上げ玄米取出ホッパ（１３）の設けられている上部選別ケース（２ｃ）の隣接する円筒部を嵌合装着し縦軸心回りに回動可能に構成したことを特徴とする。
【０００８】
請求項４の発明は、請求項１乃至請求項３の発明において、縦軸心回りに回動調節できる屑米取出口（１７）の配設されている中間選別ケース（２ｂ）あるいは仕上げ玄米取出ホッパ（１３）の配設されている上部選別ケース（２ｃ）のいずれかあるいは双方にコンプレッサなどから噴風を吹き込むことのできる噴風供給口（２２）を設けたことを特徴とする。
【発明の効果】
【０００９】
請求項１の発明によると、縦型米選機の選別ケース（２）を縦長円筒状に構成することによりコンパクトにしながら、上部選別ケース（２ｃ）を縦軸心回りに回動調節することにより、仕上げ玄米を所望の位置で取り出すことができ、仕上げ玄米の袋詰め作業を広い場所で行なうことができる。
【００１０】
請求項２の発明によると、請求項１の発明の前記効果に加えて、屑米取出口（１７）の配設されている中間選別ケース（２ｂ）を縦軸心回りに回動調節可能に構成したので、中間選別ケース（２ｂ）を縦軸心回りに回動調節することにより屑米を所望の場所で取り出すことができ、屑米収納容器を所望の位置に設置でき作業スペースを有効に利用することができる。
【００１１】
請求項３の発明によると、請求項１又は請求項２の発明の前記効果に加えて、中間選別ケース（２ｂ）及び上部選別ケース（２ｃ）の回動調節構成を簡単化しながら選別作業中にも中間選別ケース（２ｂ）及び上部選別ケース（２ｃ）を縦軸回りに回動調節し、選別穀粒の取出位置を容易に変更することができる。
【００１２】
請求項４の発明によると、請求項１乃至請求項３の発明の前記効果に加えて、選別網筒（３）内の残留穀粒や糠などを飛散清掃し、選別網筒（３）の目詰りを解消することができる。
【図面の簡単な説明】
【００１３】
【図１】縦型米選機の切断側面図。
【図２】縦型米選機の斜視図。
【発明を実施するための形態】
【００１４】
以下本発明の実施例を図面に基づき説明する。
図１及び図２に基づき縦型米選機について説明する。
縦長円筒状の選別フレーム１を下部に配設し、選別フレーム１には遊動輪体を取り付けている。選別フレーム１の上側に縦長円筒状の選別ケース２を配設している。選別ケース２内には同一の縦軸心回りに互いに反対方向へ回転する大径の選別網筒３及び小径の揚穀ラセン筒４を配置し、選別フレーム１に設けたモータ６からベルト伝動装置７を経由して伝動ケース８内のギヤ伝動装置（図示省略）に伝達し、ギヤ伝動装置の正回転伝動装置（図示省略）を経由して選別網筒３を低速正回転するように駆動し、逆回転伝動装置（図示省略）を経由して揚穀ラセン筒４を逆回転駆動するように構成している。
【００１５】
選別ケース２の下部に投入ホッパ９を設け、投入ホッパ９に籾摺選別機から玄米が投入されると流下し選別網筒３の下端部に流入し、揚穀ラセン筒４の下端部に供給される。次いで、被選別玄米は揚穀ラセン筒４のラセン翼により放射方向に飛散されつつ揚穀され、大きな玄米は網目から漏れずに選別網筒３内を上方まで揚穀され、選別ケース２上部の仕上げ玄米室１１に取り出され、揚穀ラセン筒４の上部に一体的に取り付けられている掻き出し羽根１２により、選別ケース２の上部に設けた取出ホッパ１３に取り出される。
【００１６】
また、揚穀選別中に小形の玄米は選別網筒３の選別孔から外周側の屑米室１４に放出選別されて下部に集められ、選別網筒３と一体的に回転する羽根板１６，…で集められ、屑米室１４の下部に設けた屑米取出口１７から機外に取り出される構成である。
【００１７】
縦長円筒状の選別ケース２を同一直径の投入ホッパ９を取り付けている下部選別ケース２ａと、屑米取出口１７を配設している中間選別ケース２ｂと、仕上げ玄米取出ホッパ１３を配設している上部選別ケース２ｃに分割構成している。そして、選別フレーム１に下部選別ケース２ａを縦軸回りに回動調節できないように固定状態で取り付けている。下部選別ケース２ａに対して中間選別ケース２ｂを縦軸心回りに回動調節自在に支持し、中間選別ケース２ｂに対して上部選別ケース２ｃを縦軸心回りに回動調節自在に支持している。
【００１８】
なお、下部選別ケース２ａに対して中間選別ケース２ｂ及び上部選別ケース２ｃを縦軸心回りに回動自在に構成するにあたり、いずれか一方を回動自在に構成し、他方を回動しないように構成してもよい。また、縦長円筒状の選別フレーム１に対して下部選別ケース２ａを縦軸心回りに回動調節自在に構成してもよい。
【００１９】
前記構成によると、選別ケース２を縦長円筒状に構成することにより、縦型米選機をコンパクトに構成することができる。また、下部選別ケース２ａ及び中間選別ケース２ｂに対して上部選別ケース２ｃを縦軸心回りに回動調節することにより、仕上げ玄米を所望の位置で取り出すことができ、仕上げ玄米の袋詰め作業を広い場所で行なうことができる。
【００２０】
また、下部選別ケース２ａに対して中間選別ケース２ｂを縦軸心回りに回動調節することにより、屑米を所望の位置で取り出すことができ、仕上げ玄米の袋詰め作業場所を広くし有効に利用することができる。
【００２１】
また、下部選別ケース２ａに対して中間選別ケース２ｂ及び上部選別ケース２ｃを縦軸心回りに回動自在に構成するにあたり、下部選別ケース２ａの上端外側面に上方へ突出するように接合円筒２１ａを固着して中間選別ケース２ｂの下端部外周面を嵌合支持している。また、中間選別ケース２ｂの上端外側面に接合円筒２１ｂを上方へ突出するように固着して上部選別ケース２ｃの下端部外周面を嵌合支持し、縦軸心回りに回動調節するように構成している。
【００２２】
従って、選別作業中にも下部選別ケース２ａに対して中間選別ケース２ｂ及び上部選別ケース２ｃを縦軸心回りに容易に回動調節することができる。
また、下部選別ケース２ａに対して縦軸心回りに回動調節自在の中間選別ケース２ｂ（あるいは上部選別ケース２ｃ）に噴風供給口２３を設け、コンプレッサ（図示省略）などから噴風を吹き込むことにより、選別網筒３の残留穀粒や糠などを飛散清掃し目詰りを解消することができる。なお、この噴風供給口２３の吹き出し方向を選別網筒３の回転方向上手側あるいは下手側に調節したり、選別網筒３の上側寄りあるいは下側寄りに調節できるようにすると、清掃効果を高めることができる。
【００２３】
また、次のように構成してもよい。塵埃吸引口２３を籾摺選別機（図示省略）の仕上米昇降機上部の排出ホッパ部に吸塵通路の始端側を接続し、吸塵通路の終端側を摺落米風選部の吸引排気ファンに接続し、仕上米昇降機の排出ホッパ部の塵埃類を吸引除去するように構成する。そして、籾摺選別機を空運転状態で吸塵通路の始端側を縦型米選機の前記塵埃吸引口２３に接続し、籾摺選別機の吸塵通路、摺落米風選部の吸引排気ファンを経由して塵埃類を吸引除去することにより、縦型米選機周辺の塵埃飛散を少なくしながら清掃することができる。
【００２４】
また、図１に示すように、選別ケース２下部の投入ホッパ９に噴風供給口２２を設け、投入玄米の流下供給を助長するようにしてもよい。すなわち、投入ホッパ９の流下面９ａの所定間隔上方部位に噴風供給口２２を流下面９ａの傾斜面に沿うように配設する。しかして、縦型米選機の選別作業時には、噴風供給口２２からの噴風により投入玄米の流下供給を助長することができる。また、投入穀粒がなくなると、投入ホッパ９底部の穀粒を噴風で揚穀ラセン筒４のラセン翼まで送り込み、玄米の掬い上げ作用を補助し、選別作業を能率的にすることができる。
【００２５】
また、次のように構成してもよい。縦型米選機に音声やメロディの発信機能、選別玄米の計量機能、縦型米選機の周辺のオペレータを検出する人検出センサ、及びコントローラを備え、縦型米選機の選別作業能率に応じてメロディの速さを変更し、オペレータに作業能率を知らせるようにする。
【００２６】
また、縦型米選機のコントローラに選別処理袋数を入力設定するようにし、選別処理袋数が設定選別処理袋数に近づくと、音声発信機能によりオペレータに「選別処理袋数が設定選別処理袋数に近づいた」ことを知らせるようにすると、予定選別処理袋数を過不足なく選別処理することができる。
【００２７】
また、縦型米選機の正面や周辺のオペレータを人検出センサが検出すると、コントローラの作業能率報知指令に基づき音声でオペレータに作業能率を知らせるようにし利便性を高めてもよい。
【符号の説明】
【００２８】
３      選別網筒
２      縦長円筒状の選別ケース
２ａ    下部選別ケース
２ｂ    中間選別ケース
２ｃ    上部選別ケース
４      揚穀ラセン筒
１３      仕上げ玄米取出ホッパ
１７      屑米取出口
２２      噴風供給口
【図１】
2014033990.tif 000003
【図２】
2014033990.tif 000004